(57)【要約】【課題】使用期限や使用残高が切れた場合に回収される無線通信端末において、記憶された個人情報データを回収時に手間をかけずに確実に消去する。【解決手段】プリペイド使用期限６２ａ及びプリペイド使用残高６２ｂが記憶されたプリペイド情報記憶部６２と、個人情報データ６３ａが記憶された個人情報記憶部６３と、プリペイド情報記憶部６２に記憶されたプリペイド使用期限６２ａ及びプリペイド使用残高６２ｂの少なくとも一方が切れている場合、個人情報記憶部６３に記憶された個人情報データ６３ａを消去する個人情報消去部３０とを有する。【選択図】図２
2012109785.tif 000002
【特許請求の範囲】
【請求項１】
ユーザによって指定された個人情報データを記憶し、使用期限や使用残高が切れた場合に回収される無線通信端末において、
前記使用期限及び使用残高が記憶されたプリペイド情報記憶部と、
前記個人情報データが記憶された個人情報記憶部と、
前記プリペイド情報記憶部に記憶された使用期限及び使用残高の少なくとも一方が切れている場合、前記個人情報記憶部に記憶された個人情報データを消去する個人情報消去部とを有する無線通信端末。
【請求項２】
請求項１に記載の無線通信端末において、
前記無線通信端末の使用期限及び使用残高が当該無線通信端末を識別可能な識別情報に対応づけて記憶された管理サーバに対して、前記識別情報を用いて当該無線通信端末の使用期限及び使用残高を照会し、前記管理サーバから送信されてきた当該無線通信端末の使用期限及び使用残高を前記プリペイド情報記憶部に記憶させるプリペイド情報照会部を有する無線通信端末。
【請求項３】
請求項２に記載の無線通信端末において、
前記プリペイド情報照会部は、前記無線通信端末にて通信または通話が終了したタイミングで前記管理サーバに対して当該無線通信端末の使用期限及び使用残高を照会する無線通信端末。
【請求項４】
請求項２に記載の無線通信端末において、
前記プリペイド情報照会部は、日付が更新されるタイミングで前記管理サーバに対して当該無線通信端末の使用期限及び使用残高を照会する無線通信端末。
【請求項５】
ユーザによって指定された個人情報データを記憶し、使用期限や使用残高が切れた場合に回収される無線通信端末における個人情報データ消去方法であって、
前記使用期限及び使用残高の少なくとも一方が切れている場合、前記記憶された個人情報データを消去する無線通信端末における個人情報データ消去方法。
【請求項６】
請求項５に記載の無線通信端末における個人情報データ消去方法において、
前記無線通信端末の使用期限及び使用残高が当該無線通信端末を識別可能な識別情報に対応づけて記憶された管理サーバに対して、前記識別情報を用いて当該無線通信端末の使用期限及び使用残高を照会し、前記管理サーバから送信されてきた当該無線通信端末の使用期限及び使用残高を用いて、当該無線通信端末の使用期限及び使用残高の少なくとも一方が切れているかどうかを判定する無線通信端末における個人情報データ消去方法。
【請求項７】
請求項６に記載の無線通信端末における個人情報データ消去方法において、
前記無線通信端末にて通信または通話が終了したタイミングで前記管理サーバに対して当該無線通信端末の使用期限及び使用残高を照会する無線通信端末における個人情報データ消去方法。
【請求項８】
請求項６に記載の無線通信端末における個人情報データ消去方法において、
日付が更新されるタイミングで前記管理サーバに対して当該無線通信端末の使用期限及び使用残高を照会する無線通信端末における個人情報データ消去方法。
【発明の詳細な説明】
【技術分野】
【０００１】
本発明は、無線通信端末及び無線通信端末における個人情報データ消去方法に関する。
【背景技術】
【０００２】
現在、携帯電話機は、情報交換や情報収集の面から、生活にはなくてはならないツールとなりつつある。このような携帯電話機は、世の中に登場した当時は、通話機能しか有していないものがほとんどであったが、近年では、一般のパーソナルコンピュータと同様に、電子メールを送信したり、インターネットに接続したりすることができるようになり、また、これらの操作を容易にするための電話帳機能を有するものも一般化されている。
【０００３】
このような電話帳機能をはじめとして、携帯電話機には多くの個人情報データが記憶されており、この個人情報データの漏洩が懸念される。
【０００４】
近年、プリペイド方式の携帯電話機やレンタル携帯電話機といった、回収後に再利用される携帯電話機が利用されている。このように再利用される携帯電話機においては、記憶されている個人情報データを再利用される前に消去する必要があり、例えば、個人情報データをクリアするボタンを設けたり、ソフトウェアのメニューから全消去したりすることが行われている。
【０００５】
ここで、上述したようなプリペイド方式の携帯電話機やレンタル携帯電話機においては、通信回線を介して接続される管理装置において、携帯電話機にて用いられる個人情報データが管理されている。そのため、携帯電話機の有効期限や利用回数に応じて、管理装置に管理されている個人情報データを消去する技術が考えられており、例えば、特許文献１に開示されている。
【先行技術文献】
【特許文献】
【０００６】
【特許文献１】特開２００７−５３５２６号公報
【発明の概要】
【発明が解決しようとする課題】
【０００７】
しかしながら、上述したように、個人情報データをクリアするボタンを設ける場合も、ソフトウェアのメニューから全消去する場合も、ユーザまたは回収者がこのような操作を手動で行うこととなり、手間がかかるとともに、個人情報データを消去し忘れる虞れがある。
【０００８】
また、特許文献１に開示された技術においても、管理装置に管理されている個人情報データを消去することはできるものの、携帯電話機に記憶された個人情報データは、ユーザまたは回収者が手動で消去しなければならず、上記同様の問題点が生じる。
【０００９】
本発明は、上述したような技術が有する問題点に鑑みてなされたものであって、使用期限や使用残高が切れた場合に回収される無線通信端末において、記憶された個人情報データを回収時に手間をかけずに確実に消去することができる無線通信端末及び無線通信端末の個人情報データ消去方法を提供することを目的とする。
【課題を解決するための手段】
【００１０】
上記目的を達成するために本発明は、
ユーザによって指定された個人情報データを記憶し、使用期限や使用残高が切れた場合に回収される無線通信端末において、
前記使用期限及び使用残高が記憶されたプリペイド情報記憶部と、
前記個人情報データが記憶された個人情報記憶部と、
前記プリペイド情報記憶部に記憶された使用期限及び使用残高の少なくとも一方が切れている場合、前記個人情報記憶部に記憶された個人情報データを消去する個人情報消去部とを有する。
【００１１】
また、ユーザによって指定された個人情報データを記憶し、使用期限や使用残高が切れた場合に回収される無線通信端末における個人情報データ消去方法であって、
前記使用期限及び使用残高の少なくとも一方が切れている場合、前記記憶された個人情報データを消去する。
【発明の効果】
【００１２】
本発明は、以上説明したように構成されているので、使用期限や使用残高が切れて回収される際に、ユーザや回収業者が手間をかけることなく、記憶された個人情報データを確実に消去することができ、記憶された個人情報データの漏洩を回避することができる。
【図面の簡単な説明】
【００１３】
【図１】本発明の無線通信端末を用いて通信や通話が行われるネットワーク構成の実施の一形態を示す図であり、（ａ）は全体の構成を示す図、（ｂ）は（ａ）に示したプリペイド情報データベースの構造を示す図である。
【図２】図１に示した携帯端末の構成を示すブロック図である。
【図３】図２に示した携帯端末における個人情報データ消去方法の全体の流れを示す状態遷移図である。
【図４】図２に示した携帯端末のプリペイド情報照会部におけるプリペイド情報照会処理を説明するためのフローチャートである。
【図５】図２に示した携帯端末の個人情報消去部における個人情報消去判定処理を説明するためのフローチャートである。
【発明を実施するための形態】
【００１４】
以下に、本発明の実施の形態について図面を参照して説明する。
【００１５】
図１は、本発明の無線通信端末を用いて通信や通話が行われるネットワーク構成の実施の一形態を示す図であり、（ａ）は全体の構成を示す図、（ｂ）は（ａ）に示したプリペイド情報データベース５の構造を示す図である。
【００１６】
本形態は図１（ａ）に示すように、本発明の無線通信端末となる携帯端末１が、電話網３を介してプリペイド情報管理サーバ２と通信を行うものであり、携帯端末１は、プリペイド情報管理サーバ２に対してプリペイド情報のやりとりと照会処理を行う。なお、携帯端末１は１つしか図示していないが、複数存在している。プリペイド情報管理サーバ２は、携帯端末照会部４を有するとともに、プリペイド情報データベース５を保持している。このプリペイド情報データベース５には、図１（ｂ）に示すように、携帯端末１を識別可能な携帯端末識別ＩＤと、この携帯端末識別ＩＤによって識別される携帯端末１のプリペイド使用期限及びプリペイド使用残高からなるプリペイド情報とが対応づけて記憶されている。また、携帯端末照会部４は、プリペイド情報データベース５にアクセスし、電話網３を介して照会された携帯端末１の固有ＩＤに対応する携帯端末識別ＩＤをキーとして検索を行い、その携帯端末識別ＩＤに対応づけられたプリペイド情報を電話網３を介して携帯端末１に返信する。
【００１７】
図２は、図１に示した携帯端末１の構成を示すブロック図である。
【００１８】
本形態における携帯端末１は図２に示すように、通信部１０と、プリペイド情報照会部２０と、個人情報消去部３０と、操作部４０と、記憶部６０と、これらを制御する制御部５０とから構成されている。
【００１９】
通信部１０は、電話網３を介して通話や通信を行うものであり、電話網３を介してプリペイド情報管理サーバ２にアクセスする。
【００２０】
操作部４０は、外部からユーザが情報や命令を入力するためのものであり、一般的なキーやボタン等からなる。
【００２１】
記憶部６０は、携帯端末１に付与された固有ＩＤ６１ａ等の携帯端末１に固有の情報が記憶された固有情報記憶部６１と、プリペイド情報管理サーバ２のプリペイド情報データベース５に記憶された携帯端末１のプリペイド使用期限６２ａ及びプリペイド使用残高６２ｂが一時的に記憶されるプリペイド情報記憶部６２と、電話帳データや画像データ、音声データ等の携帯端末１のユーザの入力等によって指定された個人情報データ６３ａが記憶された個人情報記憶部６３とを有している。
【００２２】
プリペイド情報照会部２０は、通信部１０を用いて電話網３を介してプリペイド情報管理サーバ４に対して携帯端末１の固有ＩＤ６１ａを送信することにより、携帯端末１のプリペイド情報を照会し、プリペイド情報管理サーバ４から返信されてきたプリペイド情報をプリペイド使用期限６２ａ及びプリペイド使用残高６２ｂとしてプリペイド情報記憶部６２に記憶させる。
【００２３】
個人情報消去部３０は、プリペイド情報記憶部６２に記憶されたプリペイド使用期限６２ａ及びプリペイド使用残高６２ｂの少なくとも一方が切れているかどうかによって携帯端末１が使用可能な状態であるかどうかを判定し、携帯端末１が使用可能ではない場合、個人情報記憶部６３に記憶された個人情報データ６３ａを消去する。
【００２４】
以下に、上記のように構成された携帯端末１の動作について説明する。
【００２５】
図３は、図２に示した携帯端末１における個人情報データ消去方法の全体の流れを示す状態遷移図である。
【００２６】
携帯端末１は、通常Ｉｄｌｅ状態Ｓ１となっており、通信や通話が開始されて通信・通話状態Ｓ２の後にて通信や通話が終了したタイミング、または、日付が更新されたタイミングにおいて、プリペイド情報照会部２０におけるプリペイド情報照会処理Ｓ３へ遷移する。
【００２７】
そして、プリペイド情報照会処理Ｓ３による照会終了後、個人情報消去部３０における個人情報消去判定処理Ｓ４へ遷移する。
【００２８】
まず、プリペイド情報照会部２０におけるプリペイド情報照会処理について説明する。
【００２９】
図４は、図２に示した携帯端末１のプリペイド情報照会部２０におけるプリペイド情報照会処理を説明するためのフローチャートである。
【００３０】
携帯端末１のプリペイド情報照会部２０におけるプリペイド情報照会処理においては、まず、プリペイド情報照会部２０が通信部１０を用いて電話網３を介してプリペイド情報管理サーバ２と通信を行い、固有情報記憶部６１に記憶された固有ＩＤ６１ａをプリペイド情報管理サーバ２に送信する（ステップＡ１）。
【００３１】
そして、プリペイド情報管理サーバ２において、携帯端末１の固有ＩＤに対応する携帯端末識別ＩＤをキーとして検索が行われた結果、携帯端末識別ＩＤに対応づけられたプリペイド情報が電話網３を介して返信されてくると、プリペイド情報照会部２０にてその応答を受け付け（ステップＡ２）、プリペイド情報が取得できたかどうかを判定する（ステップＡ３）。なお、プリペイド情報管理サーバ２から返信されてくるプリペイド情報は、上述したようにプリペイド使用期限及びプリペイド使用残高からなる。
【００３２】
プリペイド情報管理サーバ２からプリペイド情報を取得できた場合は、プリペイド情報照会部２０は、取得したプリペイド情報をプリペイド使用期限６２ａとプリペイド使用残高６２ｂとしてプリペイド情報記憶部６２に記憶させる（ステップＡ４）。
【００３３】
そして、個人情報消去部３０における個人情報消去判定処理へ遷移する（ステップＡ５）。なお、プリペイド情報の取得が失敗した場合には処理を終了する。
【００３４】
次に、個人情報消去部３０における個人情報消去判定処理について説明する。
【００３５】
図５は、図２に示した携帯端末１の個人情報消去部３０における個人情報消去判定処理を説明するためのフローチャートである。
【００３６】
個人情報消去部３０における個人情報消去判定処理においては、まず、個人情報消去部３０が、プリペイド情報記憶部６２にプリペイド情報となるプリペイド使用期限６２ａ及びプリペイド使用残高６２ｂが記憶されているかどうかを確認する（ステップＢ１）。
【００３７】
そして、プリペイド情報記憶部６２にプリペイド使用期限６２ａ及びプリペイド使用残高６２ｂが記憶されている場合、まず、プリペイド使用期限６２ａが切れているかどうかを判定し（ステップＢ２）、プリペイド使用期限６２ａが切れている場合、個人情報消去部３０は、個人情報記憶部６３に記憶されている個人情報データ６３ａを全て消去する（ステップＢ３）。
【００３８】
また、プリペイド使用期限６２ａが切れていない場合は、次に、プリペイド使用残高６２ｂが切れているかどうかを判定し（ステップＢ４）、プリペイド使用残高６２ｂが切れている場合、ステップＢ３に移行し、個人情報消去部３０は、個人情報記憶部６３に記憶されている個人情報データ６３ａを全て消去する。
【００３９】
また、プリペイド使用期限６２ａとプリペイド使用残高６２ｂのいずれも切れていない場合や、プリペイド情報記憶部６２にプリペイド使用期限６２ａ及びプリペイド使用残高６２ｂが記憶されていない場合は、処理を終了する。
【００４０】
（他の実施の形態）
さらに本発明では、個人情報データのマスターを記憶するパーソナルクラウド環境を追加構成要素とし、個人情報記憶部６３にはパーソナルクラウド環境のデータのコピーをおくことで、個人情報記憶部６３の個人情報データ消去に対する心配を減らすことができる。
【符号の説明】
【００４１】
１    携帯端末
２    プリペイド情報管理サーバ
３    電話網
４    携帯端末照会部
５    プリペイド情報データベース
１０    通信部
２０    プリペイド情報照会部
３０    個人情報消去部
４０    操作部
５０    制御部
６０    記憶部
６１    固有情報記憶部
６１ａ    固有ＩＤ
６２    プリペイド情報記憶部
６２ａ    プリペイド使用期限
６２ｂ    プリペイド使用残高
６３    個人情報記憶部
６３ａ    個人情報データ
【図１】
2012109785.tif 000003
【図２】
2012109785.tif 000004
【図３】
2012109785.tif 000005
【図４】
2012109785.tif 000006
【図５】
2012109785.tif 000007